(57)【要約】【課題】  合成樹脂を以て一体成形して成る入浴用腰掛けであって、特に股間を洗いやすくした腰掛けの提供に関するものである。【解決手段】  所望の表面形状に形成された表面形状の周縁の輪郭から垂下状の脚板を形成してなり、該座板下と脚板で囲まれた内側を空洞とした抗菌剤、防黴剤等を混合した合成樹脂を以て一体成形から成る腰掛けであって、該座板は、座板に腰掛けた際、股間が位置する対応個所に股間状のくり抜き部を形成し、且つ臀部が位置する対応個所を心持ち窪ませて安定した座り心地が得られるようにするとともに、該座板には所望個所に所望の大きさ、所望の形状の水抜き穴を穿設したことから成ることを特徴とする腰掛け。【選択図】図１
2008307240.tif 000002
【特許請求の範囲】
【請求項１】
所望の表面形状に形成された表面形状の周縁の輪郭から垂下状の脚板を形成してなり、該座板下と脚板で囲まれた内側を空洞とした抗菌剤、防黴剤等を混合した合成樹脂を以て一体成形から成る腰掛けであって、該座板は、座板に腰掛けた際、股間が位置する対応個所に股間状のくり抜き部を形成し、且つ臀部が位置する対応個所を心持ち窪ませて安定した座り心地が得られるようにするとともに、該座板には所望個所に所望の大きさ、所望の形状の水抜き穴を穿設したことから成ることを特徴とする腰掛け。
【発明の詳細な説明】
【技術分野】
【０００１】
合成樹脂を以て一体成形して成る入浴用腰掛けに関するものである。
【背景技術】
【０００２】
従来の入浴用腰掛けは、合成樹脂を以て平坦な座板と座板の周縁の輪郭から垂下状の脚板を形成してなり、該脚板で囲まれた座板下は空洞とした一体成形から成ると言う構造から成っていた。
これを改良するものとして実用新案登録第３１０２７９２号公報に開示された入浴用腰掛けが提案されている。
ところが、前記した構成から成る腰掛けは、例えば、要介護者、身体障害者等が入浴する時に体を洗う作業を行う際、要介護者や身体障害者が入浴用腰掛けに腰掛けさせて、介護者等が要介護者、身体障害者の体を洗う作業を行う場合、要介護者、身体障害者の股下を洗うときは、要介護者、身体障害者をいちいち起立させたり、中腰にさせたりさせなければ、要介護者、身体障害者の股下を洗う作業ができなかったり、或いはその作業がしづらいという不都合が生じた。
この不都合に対処するため、特開平１１−１６４７８９号公報に開示された入浴用腰掛けが発明された。ところが、前記公報に開示された発明に係る入浴用腰掛けは、従来の一体成形型の入浴用腰掛けが普通に用いられているのに拘わらず、その構成は、図示実施例の図解から座板をＵ字型座台とし、これを通気口と握り口を設けた脚（土台）で支えた座板と土台とを別体のものとして構成し、特に、座板を便座形とする構成のものとして想定した発明であると理解される。この構成では、腰掛けを利用する者の座り心地を配慮した構成のものとは言えない。
【非特許文献１】実用新案登録第３１０２７９２号公報
【特許文献１】特開平１１−１６４７８９号公報
【発明の開示】
【発明が解決しようとする課題】
【０００３】
本発明は、従来の腰掛けの上記した不都合を解消し、入浴時に要介護者、身体障害者の体を洗う介護者が、要介護者、身体障害者の体を洗う際、要介護者、身体障害者をいちいち起立させたり、中腰にさせたりさせなくとも要介護者の、身体障害者の入浴時に要介護者、身体障害者を腰掛けに腰掛けさせた状態のまま、特に股間を洗うのに便利な一体成形型の入浴用腰掛けを提供しようとするものである。
【課題を解決するための手段】
【０００４】
所望の表面形状に形成された表面形状の周縁の輪郭から垂下状の脚板を形成してなり、該座板下と脚板で囲まれた内側を空洞とした抗菌剤、防黴剤等を混合した合成樹脂を以て一体成形から成る腰掛けであって、該座板は、座板に腰掛けた際、股間が位置する対応個所に股間状のくり抜き部を形成し、且つ臀部が位置する対応個所を心持ち窪ませて安定した座り心地が得られるようにするとともに、該座板には所望個所に所望の大きさ、所望の形状の水抜き穴を穿設したことから成ることを特徴とする腰掛け。
【発明の効果】
【０００５】
本発明は、上記のように構成され、これを構成するのに合成樹脂を金型に流し込み、一体形成物として安定した座り心地がよい構成の軽量な腰掛けとして大量生産をすることができ、身体障害者、或いは要介護者の入浴時に介護者が要介護者、身体障害者の入浴の手助けを無理なくできる。
【実施例１】
【０００６】
座板下面が空洞となるよう座板周縁から垂下状に形成した脚板から成る一体成形した浴用腰掛けの、該座板の平面形状を円形或いは角部を丸みをもたせた四角形とするなど所望の形状とする。
その座板１は、図１、２に示すように腰掛けた時に腰掛ける人が心持ち股を開いて腰掛けられるよう、股間状のくり抜き部２を形成する。その座板１の所望個所には所望の大きさで、所望の形状の水抜き１Ａを穿設する。
その座板の表面形状の周縁の輪郭部からは、所定の高さの脚板４を垂下状に一体形成する。
【０００７】
即ち、座板１の下面は、図３に示すように座板１の表面形状の周縁から座板１の輪郭通りに垂下状に形成された脚板４に囲まれた部分を空洞部５として一体に成形した構成としてなされる。
【０００８】
また、座板１は水平面とするばかりでなく、人が腰掛けたとき臀部が位置する面は、図４に示すように心持ち窪み３をもたせた面として形成するようにする。
上記の構成とすることによって、安定した座り心地が得られ、座り心地に無理が生じないように配慮した。
【０００９】
従来の腰掛けが、要介護者、身体障害者が入浴時に体を洗うために腰掛けた場合、従来の腰掛けでは介護者が要介護者、身体障害者の股間を洗おうとするとき、要介護者、身体障害者をいちいち起立させたり、腰を浮かせたりしないと股間下まで洗うことができず、従って、股間下を洗う作業を省略したり或いはおろそかにすると言うおそれが生じ、そのため、不衛生の状態が生じかねないと言う不都合、或いは股間下を洗うことをしないまま湯船に入浴させたりしたときは、浴湯を必要以上に汚したりするという不都合が生じていた。
【００１０】
本発明に係る腰掛けは、座板に、所望の大きさ、所望の形状の水抜き１Ａを穿設してある。この構成とすることによって体を洗った石鹸水などは座板に溜まらないよう水はけに配慮した構造とした。この構成によって、汚れた洗い湯は常に腰掛けの座板から流し出すことができる。
【００１１】
本発明に係る腰掛けは、上記のように構成されているので、腰掛けの構造としては、しっかりした丈夫な構造となり、且つ、介護者が要介護者、身体障害者の入浴を補助するとき、要介護者、身体障害者を腰掛けに腰掛けさせたまま、股間下に手が届くようになるので上記したような不都合が生ずるのを阻止できる。
【００１２】
本発明に係る腰掛けを作るための材料は、ポリエチレン等の合成樹脂を使用することを予定しているが、抗菌、抗黴剤等を混合した合成樹脂を使用することも予定している。
【００１３】
また、本発明に係る腰掛けは、必要に応じて脚板先にゴム等の柔軟材から成る滑り止め材を以て滑り止め手段６を講ずる構成とすることもある。    
【図面の簡単な説明】
【００１４】
【図１】斜視図
【図２】平面図
【図３】図１のＡ−Ａ線断面図
【図４】側面図
【符号の説明】
【００１５】
１      座板
２      座板に形成する股間状のくり抜き部
３      窪み
４      脚板
５      空洞部
６      滑り止め材
【図１】
2008307240.tif 000003
【図２】
2008307240.tif 000004
【図３】
2008307240.tif 000005
【図４】
2008307240.tif 000006